(57)【特許請求の範囲】
【請求項１】
配線パターンが設けられている基板には、前記配線パターンに接続される固体撮像素子および前記固体撮像素子を包囲するレンズ鏡筒が搭載されており、
前記基板には、前記配線パターンの近傍に前記配線パターンと同一の高さのダミーパターンを設けてあり、
前記レンズ鏡筒は、前記ダミーパターンおよび前記配線パターンの両パターンに搭載されている
ことを特徴とする固体撮像装置。
【請求項２】
配線パターンが設けられている基板には、前記配線パターンに接続される固体撮像素子および前記固体撮像素子を包囲するレンズ鏡筒が搭載されており、
前記基板には、前記配線パターンの近傍に前記配線パターンよりも高さが高いダミーパターンを設けてあり、
前記レンズ鏡筒は、前記ダミーパターンに搭載されている
ことを特徴とする固体撮像装置。
【発明の詳細な説明】
【０００１】
【発明の属する技術分野】
本発明は、携帯電話機やノート型パソコンの携帯機器等に搭載される固定撮像装置に関する。
【０００２】
【従来の技術】
従来の固体撮像装置には、図３、４に示すように基板１に配線パターン２、固体撮像素子３及び固体撮像素子３を駆動するときに使用する電子部品４が設けられ、基板１上の固体撮像素子３及び電子部品４が配線パターン２に接続されている。基板１には穴部１ａ，１ｂが貫通して設けられ、穴部１ａ，１ｂに係合可能な図示しない係合部を備えたレンズ鏡筒５が基板１に接着剤により固着して設けられている。レンズ鏡筒５には、固体撮像素子３上に被写体像を結像させるためのレンズ６が設けられている。また、レンズ鏡筒５の下部は矩形状の筒部５ａとなっており、筒部５ａの端部に全周に亘って接着剤が設けられて基板１に固着されている。
【０００３】
【発明が解決しようとする課題】
従来、基板１上の配線パターン２は、導通に必要なところのみにライン状に設けられていたが、図４に示すように、配線パターン２が基板１の端面１ｃまで達して設けられている部分と、基板１ａの四隅のように配線パターン２が設けられていない部分とができ、図３に示すように、筒部５ａの端部の下に隙間Ａが存在していた。レンズ鏡筒５を基板１に接着剤により固着させて取り付けるときに、この配線パターン２が設けられていない部分（隙間Ａ）にレンズ鏡筒５が沈み込み、レンズ鏡筒５が基板１に対して傾いて取り付けられてしまうことがあった。レンズ鏡筒５が傾いて取り付けられてしまうと、レンズ鏡筒５に設けられたレンズ６の光軸が固体撮像素子３からずれて、固体撮像素子３上に被写体の結像ができなくなる不具合が発生する恐れがあった。
【０００４】
【課題を解決するための手段】
配線パターンが設けられている基板には、配線パターンに接続される固体撮像素子および固体撮像素子を包囲するレンズ鏡筒が搭載されており、基板には、配線パターンの近傍に前記配線パターンと同一の高さのダミーパターンを設けてある。そして、レンズ鏡筒は、ダミーパターンおよび配線パターンの両パターンに搭載されている。また、前記ダミーパターンの高さを前記配線パターンよりも高くして、前記レンズ鏡筒がダミーパターンに搭載されてもよい。
【０００５】
【発明の実施の形態】
本発明の実施の形態を実施例に基づき図面を参照して説明する。
従来の技術で説明した構成で同一のものには同一の符号をつけて説明を省略する。図１に示すように、基板１上には複数本の配線パターン２とＣＣＤ等の固体撮像素子３と電子部品４とが設けられ、固体撮像素子３と電子部品４とは配線パターン２に接続されて導通している。基板１には穴部１ａ，１ｂが貫通して設けられ、穴部１ａ，１ｂに係合可能な図示しない係合部を備えたレンズ鏡筒５が基板１に接着剤により固着して設けられている。穴部１ｂは対角線に沿う方向に僅かに長い長穴に形成してあり、若干の寸法誤差を吸収できるようにしている。レンズ鏡筒５には、固体撮像素子３上に被写体像を結像させるためのレンズ６が設けられている。
【０００６】
図２に示すように、基板１の４隅に近い配線パターン２ａ，２ｂ，２ｃ，２ｄには、レンズ鏡筒５の基板１への固着時の安定をはかるダミーパターン２ａ１，２ｂ１，２ｃ１，２ｄ１が一体に設けられている。ダミーパターン２ａ１，２ｂ１，２ｃ１，２ｄ１の高さは配線パターン２の高さと同一となっている。レンズ鏡筒５の下部は矩形状の筒部５ａとなっており、筒部５ａの端部に全周に亘って接着剤が設けられて基板１に固着されているが、ダミーパターン２ａ１，２ｂ１，２ｃ１，２ｄ１が基板１の４隅まで延伸して設けられているため、筒部５ａの端部が配線パターン２およびダミーパターン２ａ１，２ｂ１，２ｃ１，２ｄ１上に位置し、従来の構成では存在した隙間Ａ（図３参照）が存在しなくなる。
【０００７】
このため、レンズ鏡筒５を取り付けるときレンズ鏡筒５が沈み込み、レンズ鏡筒５が基板１に対して傾いて取り付けられてしまうということがなく、レンズ鏡筒５が安定して基板１上に設けられる。このため、固体撮像装置を組み立てるときには、単純にレンズ鏡筒５を基板１に押し付けて固着すればよく、組み立てが容易になる。また、レンズ鏡筒５が傾いて取り付けられることがないのでレンズ鏡筒５に設けられているレンズ６の位置が設計通りの位置に配置され、レンズ６の光軸が固体撮像素子３の撮像面からずれることがなく、被写体を確実に結像させることができる。
【０００８】
なお、本実施例では、ダミーパターン２ａ１，２ｂ１，２ｃ１，２ｄ１を配線パターン２と同じ高さで設けたが、ダミーパターン２ａ１，２ｂ１，２ｃ１，２ｄ１の各々の高さを配線パターン２よりも高くしてレンズ鏡筒５がダミーパターン２ａ１，２ｂ１，２ｃ１，２ｄ１のみに搭載される構成としてもよい。このようにすると、配線パターン２が必ずしも端面１ｃまで達する必要がなく配線パターン２の配置の仕方に自由度が増す。また、レンズ鏡筒５がダミーパターン２ａ１，２ｂ１，２ｃ１，２ｄ１のみに搭載されると配線パターン２と筒部５ａの端部との間に間隙ができることになるが、間隙ができることによりレンズ鏡筒５の内部の通気性がよくなり、結露が起こりにくくなる。このため、画像精度が安定する。また、間隙の幅が大きすぎてレンズ鏡筒５の内部にごみが入る恐れがあるときには、ごみが入らない程度の間隙になるように配線パターン２と筒部５ａの端部との間の所望位置に接着剤を設けてもよい。
【０００９】
また、本実施例では、ダミーパターン２ａ１，２ｂ１，２ｃ１，２ｄ１を配線パターン２ａ，２ｂ，２ｃ，２ｄと一体的に設けたが、これに限らず、ダミーパターンを配線パターンと分離独立して設けるようにしてもよい。
【００１０】
【発明の効果】
このように本発明によれば、基板には配線パターンの他にダミーパターンが設けられているため、レンズ鏡筒が傾いて設けられることがなく、被写体を固体撮像素子に確実に結像させることができる。
【図面の簡単な説明】
【図１】  本発明の実施例を示す断面図である。
【図２】  本発明の実施例を示す平面図である。
【図３】  従来例を示す断面図である。
【図４】  従来例を示す平面図である。
【符号の説明】
１                              基板
２                              配線パターン
２ａ１，２ｂ１，２ｃ１，２ｄ１  ダミーパターン
３                              固体撮像素子
５                              レンズ鏡筒
【図１】
0003728412.tif 000002
【図２】
0003728412.tif 000003
【図３】
0003728412.tif 000004
【図４】
0003728412.tif 000005